(57)【要約】【課題】スライド式電子部品をその上部に設置したキートップによって操作する構造の電子部品において、構造が簡単で、高さ方向の厚みの薄型化が容易に図れる電子部品を提供する。【解決手段】スライド移動自在に設置される摺動型物４０と、摺動型物４０のスライド移動によって電気的出力を変化する電気的機能部（摺動子７０と摺接パターン２３）と、摺動型物４０を中立位置に自動復帰させる自動復帰機構８０とを有するスライド式電子部品１３０と、スライド式電子部品１３０上に揺動自在に設置されるキートップ１５０とを具備する。キートップ１５０には摺動型物４０に設けた当接部４７に当接してキートップ１５０が下降するに従って摺動型物４０をスライド移動方向Ｂに押圧してスライド移動させていく押圧当接部１５７を設ける。押圧当接部１５７は押圧当接部１５７の移動方向と摺動型物の移動方向に対して斜めに傾斜する当接面で構成されている。【選択図】図２
2009021407.tif 000002
【特許請求の範囲】
【請求項１】
スライド移動自在に設置される移動体と、前記移動体のスライド移動によって電気的出力を変化する電気的機能部と、前記移動体を所定位置に自動復帰させる自動復帰機構とを有するスライド式電子部品と、
前記スライド式電子部品上に揺動又は上下動自在に設置されるキートップと、を具備し、
前記キートップには前記移動体に設けた当接部に当接してキートップが下降するに従って移動体を一方のスライド移動方向に押圧してスライド移動させていく押圧当接部を設け、さらにこの押圧当接部はこの押圧当接部の移動方向及び前記移動体の移動方向の両者に対して斜めに傾斜する当接面で構成されていることを特徴とする電子部品。
【請求項２】
前記押圧当接部の当接面は前記キートップの揺動中心軸に対して凹状となる湾曲面となっており、また前記移動体の当接部は移動体の前記キートップに対向する側の面の移動体のスライド移動方向に交叉する端辺に形成されていることを特徴とする請求項１に記載の電子部品。
【請求項３】
前記キートップには、前記スライド式電子部品の少なくとも前記キートップに対向する側の部分を収納する電子部品収納部が設けられていることを特徴とする請求項１又は２に記載の電子部品。
【請求項４】
前記移動体は移動体収納ケース内に収納され、
一方前記キートップの揺動中心軸はこの移動体収納ケースの高さ方向の厚み内に位置していることを特徴とする請求項１又は２又は３に記載の電子部品。
【請求項５】
前記移動体は移動体収納ケース内に収納され、この移動体収納ケースのキートップに対向する側の面に設けた開口内に前記キートップの押圧当接部が挿入されることを特徴とする請求項１乃至４の内の何れかに記載の電子部品。
【発明の詳細な説明】
【技術分野】
【０００１】
本発明は、スライド式電子部品の上部に揺動又は上下動自在にキートップを設置し、このキートップによって前記スライド式電子部品を操作する構造の電子部品に関するものである。
【背景技術】
【０００２】
従来、例えばビデオカメラやデジタルカメラのズーム用の操作部材等として、シーソー形電子部品が利用されている。この種のシーソー形電子部品は例えば特許文献１の図１に示すように、揺動自在なキートップ（７０）の下面側に摺動子（８１）を取り付け、一方キートップ（７０）の下側に摺動子（８１）が摺接する摺接パターン（５１，５３）を設けたフレキシブル基板（５０）を上下方向に立てて設置し、前記キートップ（７０）の揺動と共に揺動する摺動子（８１）を前記摺接パターン（５１，５３）に摺接させることでその電気的出力を変化するように構成していた。
【０００３】
また例えば特許文献２の図１に示すシーソー操作型可変抵抗器は、揺動自在な操作キー（２１）の下面側に直線摺動型可変抵抗器（２９）をその基板面が上下方向に立つように設置し、操作キー（２１）の支持点下方に設けたアーム部（２４）のＵ字溝（２５）に直線摺動型可変抵抗器（２９）の操作レバー（３１）を係合し、操作キー（２１）の揺動運動を操作レバー（３１）の直線スライド運動に変換して直線摺動型可変抵抗器（２９）の電気的出力を変化するように構成されていた。
【０００４】
しかしながら上記従来のシーソー形電子部品においては、キートップの下側に設置する摺動子や摺接パターンを設けた回路基板を上下方向に立てて設置していたので、高さ方向の厚みの薄型化が図れないという問題があった。
【特許文献１】特開平１１−１９５３５２号公報
【特許文献２】特開平５−３４３２１１号公報
【発明の開示】
【発明が解決しようとする課題】
【０００５】
本発明は上述の点に鑑みてなされたものでありその目的は、スライド式電子部品をその上部に設置したキートップによって操作する構造の電子部品において、構造が簡単で、高さ方向の厚みの薄型化を容易に図ることができる電子部品を提供することにある。
【課題を解決するための手段】
【０００６】
本願請求項１に記載の発明は、スライド移動自在に設置される移動体と、前記移動体のスライド移動によって電気的出力を変化する電気的機能部と、前記移動体を所定位置に自動復帰させる自動復帰機構とを有するスライド式電子部品と、前記スライド式電子部品上に揺動又は上下動自在に設置されるキートップと、を具備し、前記キートップには前記移動体に設けた当接部に当接してキートップが下降するに従って移動体を一方のスライド移動方向に押圧してスライド移動させていく押圧当接部を設け、さらにこの押圧当接部はこの押圧当接部の移動方向及び前記移動体の移動方向の両者に対して斜めに傾斜する当接面で構成されていることを特徴とする電子部品にある。
【０００７】
本願請求項２に記載の発明は、前記押圧当接部の当接面は前記キートップの揺動中心軸に対して凹状となる湾曲面となっており、また前記移動体の当接部は移動体の前記キートップに対向する側の面の移動体のスライド移動方向に交叉する端辺に形成されていることを特徴とする請求項１に記載の電子部品にある。
【０００８】
本願請求項３に記載の発明は、前記キートップには、前記スライド式電子部品の少なくとも前記キートップに対向する側の部分を収納する電子部品収納部が設けられていることを特徴とする請求項１又は２に記載の電子部品にある。
【０００９】
本願請求項４に記載の発明は、前記移動体は移動体収納ケース内に収納され、一方前記キートップの揺動中心軸はこの移動体収納ケースの高さ方向の厚み内に位置していることを特徴とする請求項１又は２又は３に記載の電子部品にある。
【００１０】
本願請求項５に記載の発明は、前記移動体は移動体収納ケース内に収納され、この移動体収納ケースのキートップに対向する側の面に設けた開口内に前記キートップの押圧当接部が挿入されることを特徴とする請求項１乃至４の内の何れかに記載の電子部品にある。
【発明の効果】
【００１１】
請求項１に記載の発明によれば、移動体の当接部にキートップの押圧当接部を当接させながら押圧していくことで、キートップの下方向への動きを、直接、これに交叉する（例えば略直交する）移動体のスライド移動方向への動きに変換して伝えることができる。従って電気的機能部を構成する部材（例えば摺動子や摺接パターン等）をキートップの移動方向に対して略垂直な面（例えば水平面）状に設置することができ、電子部品の厚み（キートップの移動方向に向かう厚み）の薄型化を図ることができる。
【００１２】
請求項２に記載の発明によれば、キートップの押圧当接部の当接面を所定形状の湾曲面で構成し、且つ移動体の当接部を所定の端辺に形成したので、キートップの下方向への動きを、容易且つスムーズにこれに交叉する（例えば略直交する）移動体のスライド移動方向への動きに直接変換して伝えることができる。
【００１３】
請求項３に記載の発明によれば、スライド式電子部品の少なくとも一部をキートップの電子部品収納部内に収納するので、電子部品の厚み（キートップの移動方向に向かう厚み）の薄型化を図ることができる。
【００１４】
請求項４に記載の発明によれば、移動体をスムーズにスライド移動方向に向けて移動させることができると同時に、電子部品の厚みの薄型化を図ることができる。
【００１５】
請求項５に記載の発明によれば、移動体収納ケースによって移動体をスライド移動自在に保持できると共に、移動体収納ケースに設けた開口を通してキートップの押圧当接部を移動体収納ケース内に挿入して移動体の当接部に当接させることが可能となる。
【発明を実施するための最良の形態】
【００１６】
以下、本発明の実施形態を図面を参照して詳細に説明する。
図１は本発明の１実施形態にかかる電子部品（以下「シーソー形電子部品」という）１−１の斜視図、図２は図１のＡ−Ａ概略断面図、図３はシーソー形電子部品１−１を上側から見た分解斜視図、図４はシーソー形電子部品１−１を下側から見た分解斜視図である。これらの図に示すようにシーソー形電子部品１−１は、基台１０上に回路基板（以下「フレキシブル回路基板」という）２０と、摺動子７０及び自動復帰機構８０を取り付けた移動体（以下「摺動型物」という）４０と、移動体収納ケース（以下「摺動型物収納ケース」という）１００と、キートップ１５０とを取り付けて構成されている。ここで基台１０と、フレキシブル回路基板２０と、摺動子７０及び自動復帰機構８０を取り付けた摺動型物４０と、摺動型物収納ケース１００とによってスライド式電子部品１３０が構成されている。以下各構成部品について説明する。なお以下の説明において、「上」とは摺動型物４０からキートップ１５０側に向かう方向をいい、「下」とはその逆方向をいうものとする。
【００１７】
基台１０は金属板製（例えばステンレス板製）であり、その所定の複数位置（４ヶ所）には下記する摺動型物収納ケース１００の取付固定部１０７を挿入する上下方向に貫通する貫通孔（切り欠きでも良い）からなるケース取付部１１が設けられている。なお基台１０の材質は他の金属材でも良く、また硬質の合成樹脂（例えばＡＢＳ樹脂等）であっても良い。また必ずしも板状でなくても良い。
【００１８】
フレキシブル回路基板２０は可撓性を有する絶縁性の合成樹脂フイルム２１の上面の所定位置に下記する摺動子７０が摺接する電気的機能部である摺接パターン２３を一対設け、また前記基台１０の各ケース取付部１１に対向する位置にこれら各ケース取付部１１とそれぞれほぼ同一形状の上下に貫通するケース取付部２５を設けて構成されている。前記一対の摺接パターン２３は下記する摺動型物４０のスライド移動方向Ｂに向かって延びており、何れか一方の摺接パターン２３は抵抗値の大きい抵抗体パターン、もう一方の摺接パターン２３は抵抗値の小さい導体パターン（集電パターン）となっている。なお合成樹脂フイルム２１上には図示はしないが上記摺接パターン２３以外にも各種の回路パターンが形成されている。可撓性のある合成樹脂フイルム２１としてこの実施形態ではポリエチレンテレフタレート（ＰＥＴ）フイルムを用いているが、他の熱可塑性，熱硬化性，光硬化性の合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。
【００１９】
摺動型物４０は合成樹脂を略矩形状に成形して構成されており、その上面の一側部に摺動型物４０のスライド移動方向Ｂに向かう直線状の弾発部材収納溝４１を設け、一方その下面に下方向に突出する小突起からなる２つの摺動子取付部４３を設けている。弾発部材収納溝４１の両端には、上面から切り欠かれるスリット状の凹部からなる当接部挿入部４５が設けられている。弾発部材収納溝４１は下記する圧縮コイルバネ８１をちょうど収納する寸法に形成されている。当接部挿入部４５のスリットの幅は、弾発部材収納溝４１の同一方向の幅よりも小さい幅であり、下記する圧縮コイルバネ８１の外径よりも小さくてこれを通さず、下記する摺動型物収納ケース１００の突起部１１１を挿入できる幅に形成されている。そして摺動型物４０の上面側（キートップ１５０に対向する側）の面の外周４辺の内のスライド移動方向Ｂに交叉（この実施形態では直交）する方向を向く２つの端辺の、下記するキートップ１５０に設けた押圧当接部１５７が当接する部分を当接部４７としている。摺動型物４０を構成する合成樹脂としてこの実施形態ではＰＯＭ樹脂を用いているが、他の各種合成樹脂材を用いても良い。
【００２０】
摺動子７０は弾性金属板製（例えばリン青銅板製）であり、略矩形状の基部７１の１外周辺から２本の摺動冊子７３を突出し、これら摺動冊子７３をその根元部分で基部７１の下面側に折り返して構成されている。基部７１には、前記摺動型物４０の各摺動子取付部４３を挿入する小孔からなる挿入部７５が設けられている。
【００２１】
自動復帰機構８０は圧縮コイルバネ８１の両端に消音用バネ座８３を取り付けて構成されている。圧縮コイルバネ８１はその外径が前記摺動型物４０の弾発部材収納溝４１に収納できる寸法に形成されている。消音用バネ座８３は弾性材（例えばシリコンゴム等のゴム状弾性材）を成形することによって構成されており、前記圧縮コイルバネ８１の両端の内径部分に挿入されるバネ挿入部８５と、バネ挿入部８５の端部に設けられ圧縮コイルばね８１の端面に当接するつば部８７とを具備している。
【００２２】
摺動型物収納ケース１００は合成樹脂（例えばＡＢＳ樹脂等）を下面が開放された箱型に形成して構成されており、その下面側の凹部を移動体収納部（以下「摺動型物収納部」という）１０１としている。摺動型物収納ケース１００の上面にはスライド移動方向Ｂに向かう同一直線上に２つの矩形状に延びる貫通孔からなる開口１０３が設けられ、また摺動型物収納ケース１００のスライド移動方向Ｂに向かう両側面の中央位置には幅方向（スライド移動方向Ｂに直交する方向）に向けて突出する柱状の軸支部１０５（図では一方のみ示す）が設けられ、また摺動型物収納ケース１００の下端辺には複数（４つ）の下方向に向かって小突起状に突出する取付固定部１０７が設けられている。軸支部１０５の先端面は下記するキートップ１５０の軸受部１５３にスナップインで挿入するために上方向に向かって軸支部１０５の長さを短くするテーパ面となっている。各取付固定部１０７は前記基台１０の各ケース取付部１１にぴったり挿入される形状・寸法に形成されている。
【００２３】
図５は摺動型物収納ケース１００とキートップ１５０とを図４よりも更に傾けて下面側から見た斜視図である。同図に示すように摺動型物収納ケース１００の摺動型物収納部１０１の底面の前記一対の開口１０３に沿う位置には一対の下方向に突出する板状の突起部１１１が設けられている。両突起部１１１はスライド移動方向Ｂに向かって同一直線上に設けられ、両者の対向面をバネ当接部１１３としている。
【００２４】
キートップ１５０は合成樹脂（例えばＡＢＳ樹脂等）を略矩形状（略直方体形状）であってその下面に凹状の電子部品収納部１５１を設けて構成されている。電子部品収納部１５１は前記摺動型物収納ケース１００の上側部分を収納できる寸法形状に形成されている。キートップ１５０のスライド移動方向Ｂに向かう両側辺の中央には前記摺動型物収納ケース１００の一対の軸支部１０５にそれぞれ回動自在に挿入される孔からなる軸受部１５３が設けられている。またキートップ１５０の電子部品収納部１５１の底面には一対の板状の押圧基部１５５が突出しており、これら両押圧基部１５５の下辺に押圧当接部１５７を設けている。押圧当接部１５７は、図２に示すように、この押圧当接部１５７の移動方向（図２に示す矢印Ｃ又はＣ´方向）及び摺動型物４０のスライド移動方向Ｂの両者に対して斜めに傾斜する当接面で構成されており、且つこの当接面はキートップ１５０の揺動中心軸（軸受部１５３の中心軸）に対して凹状となる湾曲面形状に形成されている。
【００２５】
次にシーソー形電子部品１−１の組立方法を説明する。まず予め摺動型物４０の下面に摺動子７０を設置して摺動型物４０の摺動子取付部４３を摺動子７０の挿入部７５に挿入し、摺動子取付部４３の先端を熱かしめすることで摺動型物４０に摺動子７０を取り付ける。また圧縮コイルバネ８１の両端に消音用バネ座８３を挿入した自動復帰機構８０を、その両消音用バネ座８３間を圧縮しながら摺動型物４０の弾発部材収納溝４１内に収納しておく。
【００２６】
そしてこの摺動型物４０を摺動型物収納ケース１００の摺動型物収納部１０１内に収納し、その際摺動型物４０の当接部挿入部４５内に摺動型物収納ケース１００の突起部１１１を挿入し、そのバネ当接部１１３を前記自動復帰機構８０の両消音用バネ座８３のつば部８７の外側面（バネ挿入部８５を設けた反対側の面）に当接する。なお摺動型物収納ケース１００の両バネ当接部１１３間の間隙と、摺動型物４０の弾発部材収納溝４１の長さとは略同一に形成されている。そして摺動型物４０を収納した摺動型物収納ケース１００の下面側にフレキシブル回路基板２０及び基台１０を設置し、その際摺動型物収納ケース１００の各取付固定部１０７をフレキシブル回路基板２０の各ケース取付部２５と基台１０の各ケース取付部１１とに挿入し、基台１０の下面で各取付固定部１０７の先端を熱かしめして固定する。これによってスライド式電子部品１３０の組立が完了する。
【００２７】
そして前記スライド式電子部品１３０の摺動型物収納ケース１００の上にキートップ１５０を配置して被せ、摺動型物収納ケース１００の両軸支部１０５をキートップ１５０の両軸受部１５３にスナップイン係合させ、図１に示すようにキートップ１５０を両軸支部１０５を中心に揺動自在に軸支する。このとき図２に示すように、キートップ１５０の両押圧当接部１５７は摺動型物収納ケース１００の両開口１０３内に挿入され、さらに摺動型物４０の両当接部４７に当接している。なおこのときキートップ１５０は自動復帰機構８０によって中立位置に保持された状態となっている。これによってこの実施形態にかかる電子部品１−１が完成する。
【００２８】
以上のようにして構成された電子部品１−１において、図２に示すキートップ１５０の右側上面を下方向に押圧すれば、図６に示すように、キートップ１５０は軸支部１０５を中心にして矢印Ｃ方向に揺動する。この揺動によって右側の押圧当接部１５７は下降し、下降した押圧当接部１５７が摺動型物４０の当接部４７を斜め下方向（真下方向と左方向を合わせた方向）に押圧することで摺動型物４０はスライド移動方向Ｂの左方向にスライド移動していく。下降していく押圧当接部１５７は当接部４７を押圧しながら同時に当接部４７上を摺動していく。なお本実施形態においては、押圧当接部１５７をキートップ１５０の揺動中心軸に対して凹状の湾曲面に形成しているので、押圧当接部１５７の面の当接部４７に当接する角度をキートップ１５０の全揺動範囲にわたって等角度に近い角度にすることができ、キートップ１５０の全揺動範囲にわたってキートップ１５０の押圧力を略均一にすることが可能となる。またこのとき左側の押圧当接部１５７は斜め上方向に移動してゆき、摺動型物４０の左方向への移動の邪魔にはならない。これによって摺動子７０の摺動冊子７３の先端がフレキシブル回路基板２０の摺接パターン２３上を摺動し、その電気的出力が変化する。なおこのように摺動型物４０がスライド移動した際、自動復帰機構８０の一方の端部は摺動型物収納ケース１００の一方のバネ当接部１１３に当接したまま、自動復帰機構８０の他方の端部は摺動型物４０の弾発部材収納溝４１の一方の端面に当接して押され、これによって圧縮コイルバネ８１は圧縮され、摺動型物４０には元の中立位置への弾性復帰力が働く。このためキートップ１５０への押圧を解除すれば、摺動型物４０は元の中立位置に自動復帰し、同時にキートップ１５０の下降した側の押圧当接部１５７は摺動型物４０の自動復帰しようとする当接部４７に押圧され、キートップ１５０も元の中立位置に自動復帰する。
【００２９】
即ちシーソー形電子部品１−１は、スライド移動自在に設置される摺動型物４０と、摺動型物４０のスライド移動によって電気的出力を変化する摺動子７０及び摺接パターン２３からなる電気的機能部と、摺動型物４０を所定位置（中立位置）に自動復帰させる自動復帰機構８０とを有するスライド式電子部品１３０と、スライド式電子部品１３０上に揺動自在に設置されるキートップ１５０とを具備し、キートップ１５０には摺動型物４０に設けた当接部４７に当接してキートップ１５０が下降するに従って摺動型物４０を一方のスライド移動方向Ｂ（キートップ１５０が下降する方向とは異なる方向）に押圧してスライド移動させていく押圧当接部１５７を設け、さらにこの押圧当接部１５７はこの押圧当接部１５７の移動方向及び摺動型物４０の移動方向の両者に対して斜めに傾斜する当接面で構成されている。シーソー形電子部品１−１を以上のように構成すれば、摺動型物４０の当接部４７にキートップ１５０の押圧当接部１５７を当接させながら押圧していくことで、キートップ１５０の下方向への動きを、直接、これに交叉する（この実施形態では略直交する）摺動型物４０のスライド移動方向Ｂへの動きに変換して伝えることができる。従って電気的機能部を構成する部材をキートップ１５０の移動方向（略上下方向）に対して略垂直な面（この実施形態では水平面）状に設置することができ、シーソー形電子部品１−１の厚み（キートップ１５０の移動方向に向かう厚み）の薄型化を図ることができる。
【００３０】
またこのシーソー形電子部品１−１においては、押圧当接部１５７の当接面をキートップ１５０の揺動中心軸に対して凹状となる湾曲面とし、また摺動型物４０の当接部４７を摺動型物４０のキートップ１５０に対向する側の面の摺動型物４０のスライド移動方向Ｂに交叉（この実施形態では直交）する端辺に形成している。これによってキートップ１５０の下方向への動きを、容易且つスムーズにこれに交叉する（この実施形態では略直交する）摺動型物４０のスライド移動方向Ｂへの動きに直接変換して伝えることができる。またこのシーソー形電子部品１−１においては、キートップ１５０に、スライド式電子部品１３０の少なくともキートップ１５０に対向する側の部分を収納する電子部品収納部１５１を設けている。これによってシーソー形電子部品１−１の厚み（キートップ１５０の移動方向に向かう厚み）の薄型化を図ることができる。
【００３１】
またこのシーソー形電子部品１−１においては、摺動型物４０は摺動型物収納ケース１００内に収納され、一方キートップ１５０の揺動中心軸（軸支部１０５，軸受部１５３の中心軸）は摺動型物収納ケース１００の高さ方向の厚み内に位置している。これによって摺動型物４０をスムーズにスライド移動方向Ｂに向けて移動させることができると同時にシーソー形電子部品１−１の厚みの薄型化が図れる。即ちキートップ１５０の揺動中心軸を摺動型物収納ケース１００の上方に設置すればするほどキートップ１５０を揺動した際にその押圧当接部１５７が当接部４７を押圧する方向の内、スライド移動方向Ｂに向かうベクトルが大きくなり、摺動型物４０を容易にスムーズに移動させることができる。しかしながらこのようにキートップ１５０の揺動中心軸を上方に設置するとシーソー形電子部品１−１の高さ方向の厚み寸法が大きくなり、薄型化が図れない。そこでこの実施形態においては、キートップ１５０の揺動中心軸を図２に示すように押圧当接部１５７と当接部４７が当接していると略同じ面に位置させている。これによって押圧当接部１５７の傾斜する当接面の傾斜角度を用いて摺動型物４０をスライド移動方向Ｂに向けてスムーズに移動させることができ、同時にシーソー形電子部品１−１の高さ方向の厚みの薄型化が図れる。なおキートップ１５０の揺動中心軸の位置を摺動型物収納ケース１００よりも下方に位置させればさせるほどキートップ１５０を揺動させた際にその押圧当接部１５７は当接部４７を移動させていく方向とは逆方向に移動していく。これを防止するには押圧当接部１５７の当接面の当接部４７に当接させる傾斜面をより寝かせて（スライド移動方向Ｂに平行になる方向に近づけて）いかなければならず、摺動型物４０を移動させることが困難になる。そこで上述のようにキートップ１５０の揺動中心軸を摺動型物収納ケース１００の厚み内に位置するようにしたのである。
【００３２】
またこのシーソー形電子部品１−１においては、摺動型物４０は摺動型物収納ケース１００内に収納され、この摺動型物収納ケース１００のキートップ１５０に対向する側の面に設けた開口１０３内にキートップ１５０の押圧当接部１５７を挿入している。これによって摺動型物収納ケース１００にて摺動型物４０をスライド移動自在に保持できると共に、摺動型物収納ケース１００に設けた開口１０３を通してキートップ１５０の押圧当接部１５７を摺動型物収納ケース１００内に挿入して摺動型物４０の当接部４７に当接させることが可能となっている。
【００３３】
図７は本発明の第２実施形態にかかる電子部品（以下「シーソー形電子部品」という）１−２の概略断面図（図２と同一部分の断面図）である。同図に示すシーソー形電子部品１−２において、前記シーソー形電子部品１−１と同一又は相当部分には同一符号を付す。なお以下で説明する事項以外の事項については、前記図１〜図６に示す実施形態と同じである。このシーソー形電子部品１−２において前記シーソー形電子部品１−１と相違する点は、キートップ１５０に設ける押圧当接部１５７の位置及び形状と、摺動型物４０に設ける当接部４７の位置及び形状とである。
【００３４】
この実施形態におけるキートップ１５０においても、その電子部品収納部１５１の底面に一対の板状の押圧基部１５５を突出して設けているが、この押圧基部１５５へ設ける押圧当接部１５７の当接面は、この押圧当接部１５７の移動方向（図７に示す矢印Ｃ，Ｃ´方向）及び摺動型物４０のスライド移動方向Ｂの両者に対して斜めに傾斜する当接面で構成されており、且つこの当接面はキートップ１５０の揺動中心軸に対して凸状となる湾曲面に形成されている。
【００３５】
一方摺動型物４０に設ける当接部４７は、摺動型物４０の上面（キートップ１５０に対向する側の面）の前記両押圧当接部１５７に対向する部分に、矩形凹状の押圧当接部挿入部４９を設け、これら押圧当接部挿入部４９の両外側の上端辺の、前記キートップ１５０の押圧当接部１５７が当接する部分としている。そして図７に示すように、キートップ１５０が中立位置にあるときは、キートップ１５０の両押圧当接部１５７は摺動型物収納ケース１００の両開口１０３内に挿入され、さらに摺動型物４０の両当接部４７に当接している。そしてキートップ１５０の右側上面を下方向に押圧すれば、キートップ１５０は図７に示す矢印Ｃ方向に揺動する。この揺動によって右側の押圧当接部１５７は下降し、下降した押圧当接部１５７が摺動型物４０の当接部４７を斜め下方向（真下方向と右方向を合わせた方向）に押圧することで摺動型物４０はスライド移動方向Ｂの右方向にスライド移動していく。下降していく押圧当接部１５７は当接部４７を押圧しながら同時に当接部４７上を摺動していく。またこのとき左側の押圧当接部１５７は斜め上方向に移動して当接部４７から外れ、摺動型物４０の右方向への移動の邪魔にはならない。これによって摺動子７０の摺動冊子７３の先端がフレキシブル回路基板２０の摺接パターン２３上を摺動し、その電気的出力が変化する。そしてキートップ１５０への押圧を解除すれば、摺動型物４０は元の中立位置に自動復帰し、同時にキートップ１５０の下降した側の押圧当接部１５７は摺動型物４０の自動復帰しようとする当接部４７に押圧され、キートップ１５０も元の中立位置に自動復帰する。
【００３６】
即ち、図１〜図６に示すシーソー形電子部品１−１は、キートップ１５０を押圧した側とは反対方向に向かって摺動型物４０が移動するのに対して、図７に示すシーソー形電子部品１−２は、キートップ１５０を押圧した側と同一方向に向かって摺動型物４０が移動する構成となっている。またシーソー形電子部品１−１の場合はその当接部４７と押圧当接部１５７の構造上、キートップ１５０を押圧して揺動させた際に、最初は比較的押圧力が重く、徐々に押圧力が軽くなるように動作する傾向にあるが、シーソー形電子部品１−２の場合はその逆に、キートップ１５０を押圧して揺動させた際に、最初は比較的押圧力が軽く、徐々に押圧力が重くなるように動作する傾向にある。
【００３７】
図８は本発明の他の実施形態にかかる電子部品（以下「押圧形電子部品」という）１−３の概略側断面図である。同図に示す押圧形電子部品１−３において、前記シーソー形電子部品１−１と同一又は相当部分には同一符号を付す。なお以下で説明する事項以外の事項については、前記図１〜図６に示す実施形態と同じである。この押圧形電子部品１−３において前記シーソー形電子部品１−１と相違する点は、シーソー形電子部品１−１で用いた構成の自動復帰機構８０を省略し、その代りに摺動型物収納ケース１００の摺動型物収納部１０１内に収納した摺動型物４０の一端面（スライド移動方向Ｂに垂直な一方の面）とこれに対向する摺動型物収納ケース１００の内側面の間に圧縮コイルバネ８１からなる自動復帰機構８０を設置した点と、シーソー状に揺動するキートップ１５０の代りに、上下方向のみに移動するキートップ１５０を設置した点と、摺動型物収納ケース１００の上面に設ける開口１０３を１つとしてこの開口１０３内にキートップ１５０に１つ設けた押圧当接部１５７を挿入し、この押圧当接部１５７を開口１０３に露出する摺動型物４０に１つ設けた当接部４７に当接した点である。以下さらに具体的に説明する。
【００３８】
自動復帰機構８０を構成する圧縮コイルバネ８１は、摺動型物４０の一端面とこれに対向する摺動型物収納ケース１００の内側面間を弾発することにより、摺動型物４０の他端面を摺動型物収納ケース１００の他方の内側面に弾接するようにしている。キートップ１５０は合成樹脂製で柱状のキートップ本体部１５９の外周下部からリング状のつば部１６１を突出し、またその下面から平板状（柱状等の他の形状でも良い）の押圧基部１５５を突設し、その先端面を押圧当接部１５７として構成されている。押圧当接部１５７の形状・構成は上記各実施形態の押圧当接部１５７の形状・構成と同一である。キートップ１５０は別途設置される第２ケース（例えば外装ケース）２００に設けた開口部２０１内にキートップ本体部１５９を上下動自在となるように挿入して設置されている。
【００３９】
そしてキートップ１５０の上面を下方向に押圧すれば、キートップ１５０は真下方向に下降する。この下降によって押圧当接部１５７が下降し、下降した押圧当接部１５７が摺動型物４０の当接部４７を斜め下方向（真下方向と左方向を合わせた方向）に押圧することで摺動型物４０はスライド移動方向Ｂの左方向にスライド移動していく。下降していく押圧当接部１５７は当接部４７を押圧しながら同時に当接部４７上を摺動していく。これによって摺動子７０の摺動冊子７３の先端がフレキシブル回路基板２０の摺接パターン２３上を摺動し、その電気的出力が変化する。そしてキートップ１５０への押圧を解除すれば、自動復帰機構８０の弾発復帰力によって摺動型物４０は元の右位置に自動復帰し、同時にキートップ１５０の押圧当接部１５７は摺動型物４０の自動復帰しようとする当接部４７に押圧され、キートップ１５０は元の上部位置に自動復帰する。
【００４０】
図９は本発明のさらに他の実施形態にかかる電子部品（以下「押圧形電子部品」という）１−４の概略側断面図である。同図に示す押圧形電子部品１−４において、前記押圧形電子部品１−３と同一又は相当部分には同一符号を付す。なお以下で説明する事項以外の事項については、前記図８に示す実施形態と同じである。この押圧形電子部品１−４において前記押圧形電子部品１−３と相違する点は、キートップ１５０の構造のみである。即ちこのキートップ１５０は、合成樹脂製で柱状のキートップ本体部１５９の外周下部からリング状のつば部１６１を突出し、その下面から平板状（柱状等の他の形状でも良い）の押圧基部１５５を突設し、その先端面を押圧当接部１５７として構成されている。押圧当接部１５７の形状・構成は上記各実施形態の押圧当接部１５７の形状・構成と同一である。そしてキートップ１５０の外周には容易に上下方向に撓む薄板状のヒンジ部１６３が連結され、さらにヒンジ部１６３の先端部分には下方向（フレキシブル回路基板２０方向）に向かって突出する固定部１６５が設けられている。そして固定部１６５をフレキシブル回路基板２０（又は基台１０）等の固定側部材に固定することで、キートップ本体部１５９を摺動型物収納ケース１００の上部に設置する。その際押圧当接部１５７を摺動型物収納ケース１００の開口１０３内に挿入し、摺動型物４０の当接部４７に当接しておく（なお必ずしも当接しておかなくても良い）。
【００４１】
そしてキートップ１５０の上面を下方向に押圧すれば、キートップ１５０は略真下方向に揺動しながら下降する。この下降によって押圧当接部１５７が下降し、下降した押圧当接部１５７が摺動型物４０の当接部４７を斜め下方向（真下方向と左方向を合わせた方向）に押圧することで摺動型物４０はスライド移動方向Ｂの左方向にスライド移動していく。下降していく押圧当接部１５７は当接部４７を押圧しながら同時に当接部４７上を摺動していく。これによって摺動子７０の摺動冊子７３の先端がフレキシブル回路基板２０の摺接パターン２３上を摺動し、その電気的出力が変化する。そしてキートップ１５０への押圧を解除すれば、自動復帰機構８０の弾発復帰力によって摺動型物４０は元の右位置に自動復帰し、同時にキートップ１５０は自動復帰しようとする当接部４７に押圧されるとともにヒンジ部１６３の弾性復帰力によって、元の上部位置に自動復帰する。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では摺動型物４０のスライド移動方向を直線状としたが、円弧状やその他の曲線方向にスライド移動するものであっても良い。また移動体としては摺動型物４０に限定されず、他の各種部材であっても良い。また上記実施形態では摺接パターン２３と摺動子７０とによって電気的機能部を構成したが、他の各種構造の電気的機能部でも良く、要は移動体のスライド移動によって電気的出力を変化する電気的機能部であればどのような部品及び構造からなる電気的機能部であっても良い。またキートップ１５０の形状構造、及びキートップ１５０を揺動又は上下動させる機構も各種の変更が可能である。
【００４３】
またキートップ１５０に設ける押圧当接部１５７の形状や、摺動型物４０に設ける当接部４７の形状にも種々の変形が可能であり、押圧当接部１５７は円弧状以外の凹形状であっても良いし、平面状でも良いし、凸形状でもよい。また当接部４７の形状も上記実施形態のように略直角に屈曲する辺の部分でなくても良く、円弧状の湾曲面やその他の各種形状であっても良い。要はキートップの押圧当接部と摺動型物の当接部は、両者が当接してキートップが下降するに従って摺動型物を一方のスライド移動方向（キートップの下降方向とは異なる方向）に押圧してスライド移動させていく形状・構造であれば良い。
【００４４】
また上記実施形態では、キートップ１５０に設けた電子部品収納部１５１に、スライド式電子部品１３０のキートップ１５０に対向する側の一部分を収納したが、スライド式電子部品１３０の全部を収納しても良いし、逆にスライド式電子部品１３０を全く収納しなくても良い。また上記実施形態にかかるシーソー形電子部品１−１，１−２においては、キートップ１５０の押圧当接部１５７及びこの押圧当接部１５７に当接する摺動型物４０の当接部４７をその左右両側に一対ずつ設けたが、何れか一方側のみに設けても良い。また上記実施形態では摺動型物収納ケース１００に設けた開口１０３内にキートップ１５０の押圧当接部１５７を挿入したが、開口１０３は貫通孔と切り欠きを含む概念である。また摺動型物収納ケース１００を省略する場合は開口１０３が不要になることはいうまでもない。また上記シーソー形電子部品１−１，１−２ではキートップ１５０を略矩形状に形成したが、キートップは例えば上方向に円弧状に突出する形状（半円形の回転つまみ形状）等の他の各種形状で形成しても良い。
【図面の簡単な説明】
【００４５】
【図１】シーソー形電子部品１−１の斜視図である。
【図２】図１のＡ−Ａ概略断面図である。
【図３】シーソー形電子部品１−１を上側から見た分解斜視図である。
【図４】シーソー形電子部品１−１を下側から見た分解斜視図である。
【図５】摺動型物収納ケース１００とキートップ１５０とを下面側から見た斜視図である。
【図６】シーソー形電子部品１−１の動作説明図である。
【図７】シーソー形電子部品１−２の概略側断面図である。
【図８】押圧形電子部品１−３の概略側断面図である。
【図９】押圧形電子部品１−４の概略側断面図である。
【符号の説明】
【００４６】
１−１  シーソー形電子部品（電子部品）
１０  基台
２０  フレキシブル回路基板（回路基板）
２３  摺接パターン（電気的機能部）
４０  摺動型物（移動体）
４７  当接部
７０  摺動子（電気的機能部）
８０  自動復帰機構
８１  圧縮コイルバネ
１００  摺動型物収納ケース（移動体収納ケース）
１０３  開口
１３０  スライド式電子部品
１５０  キートップ
１５１  電子部品収納部
１５７  押圧当接部
Ｂ  スライド移動方向
１−２  シーソー形電子部品（電子部品）
１−３  押圧形電子部品（電子部品）
１−４  押圧形電子部品（電子部品）
【図１】
2009021407.tif 000003
【図２】
2009021407.tif 000004
【図３】
2009021407.tif 000005
【図４】
2009021407.tif 000006
【図５】
2009021407.tif 000007
【図６】
2009021407.tif 000008
【図７】
2009021407.tif 000009
【図８】
2009021407.tif 000010
【図９】
2009021407.tif 000011